(57)【要約】【課題】解除作業性を向上することができる固定解除構造を提供する。【解決手段】複数の固定部材３と、隣り合う固定部材３，３間に設けられ隣り合う固定部材３，３の組付状態を保持する係止部５と、この係止部５の係止を解除する解除治具７とを備えた固定解除構造１において、係止部５が、凹部９内に撓み可能に設けられた係合爪１１と、係合孔部１３とを有し、解除治具７が、解除部１５と、保持部１７とを有し、凹部９が、係合爪１１に向けて解除部１５の挿入方向に傾斜し保持部１７と係合可能なガイド部１９と、このガイド部１９から解除部１５の挿入方向に延設され保持部１７と係合可能な溝部２１とを有し、ガイド部１９と溝部２１との間に、保持部１７と解除部１５の離脱方向に係合可能な被係合部２３を設けた。【選択図】図９
2018162793.tif 000002
【特許請求の範囲】
【請求項１】
複数の固定部材と、隣り合う前記固定部材間に設けられ隣り合う前記固定部材の組付状態を保持する係止部と、この係止部の係止を解除する解除治具とを備えた固定解除構造であって、
前記係止部は、隣り合う前記固定部材のうちいずれか一方に設けられた凹部内に撓み可能に設けられた係合爪と、他方に設けられ前記凹部内に挿入され前記係合爪と隣り合う前記固定部材の離脱方向に係合する係合孔部とを有し、
前記解除治具は、前記凹部内に挿入され前記係合爪を撓ませて前記係合爪と前記係合孔部との係合を解除する解除部と、この解除部と反対側に設けられ前記凹部の内壁面に当接して前記係合爪と前記係合孔部との係合解除を保持する保持部とを有し、
前記凹部は、前記係合爪に向けて前記解除部の挿入方向に傾斜し前記保持部と係合可能なガイド部と、このガイド部から前記解除部の挿入方向に延設され前記保持部と係合可能な溝部とを有し、
前記ガイド部と前記溝部との間には、前記保持部と前記解除部の離脱方向に係合可能な被係合部が設けられていることを特徴とする固定解除構造。
【請求項２】
請求項１記載の固定解除構造であって、
前記係止部は、隣り合う前記固定部材間に複数設けられていることを特徴とする固定解除構造。
【発明の詳細な説明】
【技術分野】
【０００１】
本発明は、固定解除構造に関する。詳細には、隣り合う固定部材間に設けられた係止部を解除する解除治具を有する固定解除構造に関する。
【背景技術】
【０００２】
従来、固定解除構造における係止部としては、隣り合う固定部材のうちいずれか一方としての電気接続箱に撓み可能に設けられた係合爪と、他方としてのブラケットに設けられ係合爪が係合される係合孔部とを有するものが知られている（例えば、特許文献１参照）。
【０００３】
この係止部における固定解除構造としては、係合孔部に係合された係合爪を作業者の手や解除治具などによって撓ませることにより係合が解除され、電気接続箱からブラケットを取り外すことができる。
【先行技術文献】
【特許文献】
【０００４】
【特許文献１】特開平９−１０３０１８号公報
【発明の概要】
【発明が解決しようとする課題】
【０００５】
しかしながら、上記特許文献１のような固定解除構造では、隣り合う固定部材を取り外す場合、作業者の手や解除治具などによって係止部における係合爪と係合孔部との係合が解除された状態を保持し、隣り合う固定部材を取り外す必要があった。
【０００６】
そこで、係止部の係合を解除した状態を保持するために、係合爪を撓ませて係合孔部との係合を解除させるための解除治具を、係止部において、係合爪を撓ませた状態で保持することが考えられる。
【０００７】
この係止部における解除治具の保持を行うために、係合爪を凹部内に設け、凹部内に挿入される解除治具を、係合爪と凹部の内壁面とで挟み込むことにより、係止部を解除した状態で凹部内に解除治具を保持することができる。
【０００８】
しかしながら、凹部内に解除治具を挿入する場合には、凹部に係合爪に向けて解除治具の挿入方向に傾斜するガイド部を設けることが考えられるが、ガイド部が解除治具の挿入方向につれて浅くなるので、係合爪に対して解除治具が位置ズレや回転を起こす恐れがあった。
【０００９】
加えて、凹部内に解除治具が保持された状態では、凹部から引き抜かれる係合孔部と解除治具との干渉により、保持された解除治具が凹部から飛び出してしまう恐れがあった。
【００１０】
そこで、この発明は、解除作業性を向上することができる固定解除構造の提供を目的としている。
【課題を解決するための手段】
【００１１】
請求項１記載の発明は、複数の固定部材と、隣り合う前記固定部材間に設けられ隣り合う前記固定部材の組付状態を保持する係止部と、この係止部の係止を解除する解除治具とを備えた固定解除構造であって、前記係止部は、隣り合う前記固定部材のうちいずれか一方に設けられた凹部内に撓み可能に設けられた係合爪と、他方に設けられ前記凹部内に挿入され前記係合爪と隣り合う前記固定部材の離脱方向に係合する係合孔部とを有し、前記解除治具は、前記凹部内に挿入され前記係合爪を撓ませて前記係合爪と前記係合孔部との係合を解除する解除部と、この解除部と反対側に設けられ前記凹部の内壁面に当接して前記係合爪と前記係合孔部との係合解除を保持する保持部とを有し、前記凹部は、前記係合爪に向けて前記解除部の挿入方向に傾斜し前記保持部と係合可能なガイド部と、このガイド部から前記解除部の挿入方向に延設され前記保持部と係合可能な溝部とを有し、前記ガイド部と前記溝部との間には、前記保持部と前記解除部の離脱方向に係合可能な被係合部が設けられていることを特徴とする。
【００１２】
この固定解除構造では、凹部が、係合爪に向けて解除部の挿入方向に傾斜し保持部と係合可能なガイド部と、このガイド部から解除部の挿入方向に延設され保持部と係合可能な溝部とを有するので、ガイド部が解除部の挿入方向に浅くなることがなく、安定して解除部を係合爪に導くことができる。
【００１３】
このガイド部には、保持部と係合可能な溝部が解除部の挿入方向に延設されているので、溝部と保持部との係合により、安定して解除部を係合爪に導くことができ、解除部によって係合爪を確実に撓ませることができる。
【００１４】
また、ガイド部と溝部との間には、保持部と解除部の離脱方向に係合可能な被係合部が設けられているので、凹部から引き抜かれる係合孔部と解除部とが干渉しても、凹部から保持された解除治具が飛び出すことを防止することができる。
【００１５】
従って、このような固定解除構造では、解除部を係合爪に安定して導き、凹部からの解除治具の飛び出しを防止でき、解除作業性を向上することができる。
【００１６】
請求項２記載の発明は、請求項１記載の固定解除構造であって、前記係止部は、隣り合う前記固定部材間に複数設けられていることを特徴とする。
【００１７】
この固定解除構造では、係止部が、隣り合う固定部材間に複数設けられているので、隣り合う固定部材を取り外す場合、複数の係止部を同時に解除した状態としなければならない。
【００１８】
このため、複数の係止部のそれぞれに解除治具を挿入することによって、複数の係止部を同時に解除した状態を保持することができ、隣り合う固定部材を容易に取り外すことができる。
【００１９】
加えて、複数の係止部のそれぞれへの解除治具の挿入による係合爪と係合孔部との係合解除が容易であり、隣り合う固定部材の取り外しにおける解除治具の凹部からの飛び出しも防止されているので、隣り合う固定部材間に係止部が複数設けられている場合において、さらに解除作業性を向上することができる。
【発明の効果】
【００２０】
本発明によれば、解除作業性を向上することができる固定解除構造を提供することができるという効果を奏する。
【図面の簡単な説明】
【００２１】
【図１】本発明の実施の形態に係る固定解除構造の一部を断面とした要部拡大斜視図である。
【図２】本発明の実施の形態に係る固定解除構造の係合爪の正面図である。
【図３】本発明の実施の形態に係る固定解除構造の係合孔部の正面図である。
【図４】本発明の実施の形態に係る固定解除構造の固定部材の一部を断面とした斜視図である。
【図５】本発明の実施の形態に係る固定解除構造の凹部の上面図である。
【図６】本発明の実施の形態に係る固定解除構造の凹部の下面図である。
【図７】本発明の実施の形態に係る固定解除構造の解除治具の側面図である。
【図８】本発明の実施の形態に係る固定解除構造の係合孔部を凹部から引き抜くときの断面図である。
【図９】図８の要部拡大図である。
【図１０】図９の状態から解除治具を引き抜くときの断面図である。
【発明を実施するための形態】
【００２２】
本発明の実施の形態に係る固定解除構造は、例えば、電池パックにおいて、複数の電池が収容された複数の固定部材３の組付状態を保持するために、隣り合う固定部材３，３間に設けられた係止部５の解除に用いられる。
【００２３】
以下、図１〜図１０を用いてこのような電池パックに適用される本発明の実施の形態に係る固定解除構造について説明する。
【００２４】
本実施の形態に係る固定解除構造１は、複数の固定部材３と、隣り合う固定部材３，３間に設けられ隣り合う固定部材３，３の組付状態を保持する係止部５と、この係止部５の係止を解除する解除治具７とを備えている。
【００２５】
また、係止部５は、隣り合う固定部材３，３のうちいずれか一方に設けられた凹部９内に撓み可能に設けられた係合爪１１と、他方に設けられ凹部９内に挿入され係合爪１１と隣り合う固定部材３，３の離脱方向に係合する係合孔部１３とを有する。
【００２６】
さらに、解除治具７は、凹部９内に挿入され係合爪１１を撓ませて係合爪１１と係合孔部１３との係合を解除する解除部１５と、この解除部１５と反対側に設けられ凹部９の内壁面に当接して係合爪１１と係合孔部１３との係合解除を保持する保持部１７とを有する。
【００２７】
そして、凹部９は、係合爪１１に向けて解除部１５の挿入方向に傾斜し保持部１７と係合可能なガイド部１９と、このガイド部１９から解除部１５の挿入方向に延設され保持部１７と係合可能な溝部２１とを有し、ガイド部１９と溝部２１との間には、保持部１７と解除部１５の離脱方向に係合可能な被係合部２３が設けられている。
【００２８】
また、係止部５は、隣り合う固定部材３，３間に複数設けられている。
【００２９】
図１〜図１０に示すように、複数の固定部材３は、例えば、それぞれ合成樹脂などの絶縁性材料や金属などからなり、筐体状に形成され、内部に複数の電池（不図示）が収容されている。
【００３０】
この固定部材３は、内部に収容された複数の電池がバスバなどの導電部材（不図示）を介して電気的に接続されており、隣り合う固定部材３，３が接続部（不図示）を介して電気的に接続されている。
【００３１】
この隣り合う固定部材３，３の間には、複数の係止部５が設けられており、この複数の係止部５を介して複数の固定部材３の組付状態が保持される。
【００３２】
なお、複数の係止部５は、同様の構成であるので、以下では、１つの係止部５について説明する。
【００３３】
係止部５は、隣り合う固定部材３，３のうちいずれか一方に設けられた係合爪１１と、他方に設けられた係合孔部１３とを有する。
【００３４】
係合爪１１は、一方の固定部材３に設けられた凹部９内において、固定部材３と連続する一部材で撓み可能に形成され、凹部９内に突設されている。
【００３５】
この係合爪１１は、隣り合う固定部材３，３を組付けるときに、凹部９内に挿入される他方の固定部材３に設けられた係合孔部１３の縁部と当接することによって撓まされ、凹部９内に完全に係合孔部１３が挿入されると、復元されて係合孔部１３に係合される。
【００３６】
係合孔部１３は、例えば、他方の固定部材３にインサート成形され他方の固定部材３から露出する金属部材を板厚方向に貫通して設けられ、係合孔部１３の深さ、すなわち金属部材の板厚は、係合爪１１の突出高さと同等に設定されている。
【００３７】
なお、係合孔部１３が設けられた凹部９側に向けて延設された延設部は、他方の固定部材３にインサート成形された金属部材に限らず、例えば、他方の固定部材３と連続する一部材で凹部９内に挿入可能な形状に形成された延設部であってもよい。
【００３８】
この係合孔部１３には、隣り合う固定部材３，３が組付けられた状態、すなわち一方の固定部材３の凹部９内に他方の固定部材３の延設部が挿入された状態で、係合爪１１が係合され、隣り合う固定部材３，３の組付状態が保持される。
【００３９】
このような係合爪１１と係合孔部１３との係合による係止部５の係合は、凹部９内に挿入される解除治具７によって解除される。
【００４０】
解除治具７は、例えば、剛性を有する金属材料などからなり、板状に形成されて中間部をＬ字状に屈曲され、凹部９に挿入されて係合爪１１に当接する解除部１５と、解除部１５の反対側に突設され凹部９の内壁面に当接する突起状の保持部１７と、解除部１５と保持部１７とを凹部９に挿入させるために作業者などが把持する操作部２５とを有している。
【００４１】
この解除治具７は、操作部２５の操作によって解除部１５と保持部１７とが凹部９内に挿入されることにより、解除部１５が係合爪１１と当接して係合爪１１を撓ませ、係合爪１１と係合孔部１３との係合を解除させる。
【００４２】
この解除部１５が係合爪１１を撓ませている状態では、凹部９内において、保持部１７が係合爪１１と対向する凹部９の内壁面と当接し、係合爪１１の復元力によって解除部１５と保持部１７とが係合爪１１と凹部９の内壁面とで挟まれる。
【００４３】
これにより、解除部１５と保持部１７とは、係止部５の係合を解除した状態で、凹部９内に保持される。
【００４４】
このように係止部５の係合が解除された状態で、解除治具７を凹部９に保持させることにより、他の複数の係止部５においても、それぞれの凹部９に挿入された解除治具７を係止部５の係合が解除された状態で凹部９に保持することができ、同時に複数の係止部５の係合を解除させる必要がない。
【００４５】
このように解除治具７の解除部１５と保持部１７とが挿入される凹部９には、ガイド部１９と、溝部２１とが設けられている。
【００４６】
ガイド部１９は、凹部９の係合爪１１と対向する内壁面に設けられ、凹部９の開口縁部から係合爪１１側に向けて傾斜され、凹部９内に挿入される解除治具７の保持部１７と係合可能となっている。
【００４７】
このガイド部１９は、解除治具７の挿入方向の端部が、係合爪１１の手前に位置しており、ガイド部１９が凹部９の奥部、特に、係合爪１１近傍に進むにつれて徐々に浅くならないように設定されている。
【００４８】
このようにガイド部１９を凹部９に対して設定することにより、解除治具７の保持部１７とガイド部１９とを安定して係合することができ、位置ズレや回転を防止して、解除治具７の解除部１５を係合爪１１に導くことができる。
【００４９】
このようなガイド部１９の解除治具７の挿入方向の端部には、溝部２１が連続して設けられている。
【００５０】
溝部２１は、ガイド部１９の解除治具７の挿入方向の端部から解除治具７の挿入方向に沿って凹部９の奥部に向けて直線状に延設され、凹部９内に挿入される解除治具７の保持部１７と係合可能となっている。
【００５１】
この溝部２１は、凹部９に挿入された解除治具７の保持部１７がガイド部１９との係合を終えた後、保持部１７が係合され、解除治具７の解除部１５が係合爪１１を押圧して係合爪１１を撓ませ、係合爪１１の復元力によって保持部１７が溝部２１の底部に当接される。
【００５２】
この溝部２１の底部と解除治具７の保持部１７との当接により、解除治具７の解除部１５と保持部１７とを、係止部５の係合が解除された状態で、凹部９内に保持することができる。
【００５３】
このように解除治具７の保持部１７と係合可能な溝部２１をガイド部１９に対して解除治具７の挿入方向に延設させることにより、保持部１７と溝部２１との係合を安定して継続することができ、位置ズレや回転を防止して解除部１５を係合爪１１に導き、解除部１５によって係合爪１１を確実に撓ませることができる。
【００５４】
このようなガイド部１９と溝部２１との間には、解除治具７の保持部１７と解除治具７の凹部９からの離脱方向に係合可能な被係合部２３が設けられている。
【００５５】
被係合部２３は、ガイド部１９と溝部２１との間に位置し、ガイド部１９の解除治具７の挿入方向の端部である係合爪１１側に向けて突出する段部となっている。
【００５６】
ここで、係合孔部１３は、凹部９に解除治具７が保持された状態、すなわち係止部５の係合が解除された状態で、凹部９からの離脱方向に移動することができる。
【００５７】
この係合孔部１３の凹部９からの離脱方向への移動により、係合孔部１３の開口縁部が解除治具７の解除部１５と当接し、解除治具７が凹部９から離脱する方向に移動する。
【００５８】
この解除治具７の凹部９からの離脱方向への移動により、解除治具７の保持部１７が被係合部２３と解除治具７の離脱方向に係合する。
【００５９】
この解除治具７の保持部１７と被係合部２３との係合により、解除治具７が凹部９からの離脱方向にそれ以上移動することができないので、係合孔部１３と解除治具７の解除部１５との当接によって係合孔部１３を凹部９から引き抜くことができない。
【００６０】
この状態から解除治具７の操作部２５の操作によって解除治具７を傾け、保持部１７と被係合部２３との係合を解除させ、解除治具７の解除部１５と保持部１７とを凹部９から引き抜く。
【００６１】
これにより、係合孔部１３と凹部９内で干渉するものがなくなり、係合孔部１３を凹部９から引き抜くことができ、隣り合う固定部材３，３の組付けを解除することができる。
【００６２】
このように解除治具７の保持部１７と凹部９の被係合部２３とを係合させることにより、係合孔部１３の凹部９からの離脱方向への移動における係合孔部１３と解除治具７の解除部１５との当接によって、解除治具７が凹部９から飛び出すことを防止することができる。
【００６３】
このような固定解除構造１では、凹部９が、係合爪１１に向けて解除部１５の挿入方向に傾斜し保持部１７と係合可能なガイド部１９と、このガイド部１９から解除部１５の挿入方向に延設され保持部１７と係合可能な溝部２１とを有するので、ガイド部１９が解除部１５の挿入方向に浅くなることがなく、安定して解除部１５を係合爪１１に導くことができる。
【００６４】
このガイド部１９には、保持部１７と係合可能な溝部２１が解除部１５の挿入方向に延設されているので、溝部２１と保持部１７との係合により、安定して解除部１５を係合爪１１に導くことができ、解除部１５によって係合爪１１を確実に撓ませることができる。
【００６５】
また、ガイド部１９と溝部２１との間には、保持部１７と解除部１５の離脱方向に係合可能な被係合部２３が設けられているので、凹部９から引き抜かれる係合孔部１３と解除部１５とが干渉しても、凹部９から保持された解除治具７が飛び出すことを防止することができる。
【００６６】
従って、このような固定解除構造１では、解除部１５を係合爪１１に安定して導き、凹部９からの解除治具７の飛び出しを防止でき、解除作業性を向上することができる。
【００６７】
また、係止部５は、隣り合う固定部材３，３間に複数設けられているので、隣り合う固定部材３，３を取り外す場合、複数の係止部５を同時に解除した状態としなければならない。
【００６８】
このため、複数の係止部５のそれぞれに解除治具７を挿入することによって、複数の係止部５を同時に解除した状態を保持することができ、隣り合う固定部材３，３を容易に取り外すことができる。
【００６９】
加えて、複数の係止部５のそれぞれへの解除治具７の挿入による係合爪１１と係合孔部１３との係合解除が容易であり、隣り合う固定部材３，３の取り外しにおける解除治具７の凹部９からの飛び出しも防止されているので、隣り合う固定部材３，３間に係止部５が複数設けられている場合において、さらに解除作業性を向上することができる。
【００７０】
なお、本発明の実施の形態に係る固定解除構造では、複数の固定部材が２つであり、この２つの固定部材間の係止部について説明しているが、これに限らず、複数の固定部材は３つ以上でもよく、隣り合う固定部材間の係止部に本発明の固定解除構造を適用することができる。
【００７１】
また、係止部は、隣り合う固定部材間に複数設けられているが、これに限らず、保持部と溝部との係合によって係合爪と係合孔部との係合を安定して解除し、保持部と被係合部との係合によって凹部からの解除治具の飛び出しを防止する構造は係止部が隣り合う固定部材間に１つだけの場合においても有効である。
【符号の説明】
【００７２】
１…固定解除構造
３…固定部材
５…係止部
７…解除治具
９…凹部
１１…係合爪
１３…係合孔部
１５…解除部
１７…保持部
１９…ガイド部
２１…溝部
２３…被係合部
【図１】
2018162793.tif 000003
【図２】
2018162793.tif 000004
【図３】
2018162793.tif 000005
【図４】
2018162793.tif 000006
【図５】
2018162793.tif 000007
【図６】
2018162793.tif 000008
【図７】
2018162793.tif 000009
【図８】
2018162793.tif 000010
【図９】
2018162793.tif 000011
【図１０】
2018162793.tif 000012